(57)【要約】 【課題】  従来、キーボードからの文字入力は、キー１つに１文字又は、１つの単体としての文字を合成する部位を一つ選択していた。【解決手段】最初に、キーのタッチにより該キーに従来、設定されている文字又は情報をカーソルに表示し、予め本発明により設定された文字又は情報をフリック又はスライド操作で選択し、カーソルに追加入力することで一回のキー操作で二個の文字又は情報を選択して入力する機能を得る。【選択図】  図１
2016066356.tif 000002
【特許請求の範囲】
【請求項１】
接続維持して入力しようとする既存キーと関連している潜在配置の同行潜在キー、母音潜在キー、関連潜在キーの入力情報以外に使用頻度を考慮した文字の文字情報を潜在キーとして設定し、該設定された潜在キーを「文字潜在キー」とし、該文字潜在キーによる潜在配置を「文字潜在配置」とし、文字潜在キーによる文字情報を選択欄の欄として設定し、該設定された欄を「文字欄」とし、接続した文字キーを入力表示し、接続解放で入力表示された入力情報が入力確定し、文字潜在配置から文字潜在キーを選択表示し、接続解放後に入力表示と選択表示によりカーソルに表示された２個の入力情報が入力確定し、待機状態になる入力方法であって、キーボード以外で最初から又は入力により表示される予測変換、つながり予測、ワイルドカード予測、学習機能等の入力情報が表示された各領域を既存キーとして設定し、該設定された既存キーを「候補キー」とし、該候補キーの入力情報を潜在キーとして設定し、該設定された潜在キーを「候補潜在キー」とし、該候補潜在キーの入力情報を選択欄の欄として設定し、該設定された欄を「候補欄」とし、接続した既存キーが入力潜在キーに変化し、該変化した入力潜在キーの入力情報を基準に候補潜在キーが発生又は更新され、該発生又は更新された候補潜在キーが入力潜在キー周辺に設定された潜在配置を「候補潜在配置」とし、該候補潜在配置から候補潜在キーを選択表示し、接続解放により選択表示された入力情報が入力確定し、待機状態になる入力方法であが、入力潜在キー周辺に候補潜在キーや文字潜在キーによる潜在配置を設定し、該設定された潜在配置を「周辺潜在配置」とし、待機状態から文字キーに接続し、該接続した文字キーが入力潜在キーに変化し、該変化した入力潜在キーの入力情報を入力表示し、該入力表示された入力情報を基準に発生又は更新された候補潜在キーや文字潜在キーからなる周辺潜在配置が設定され、接続解放すれば入力表示された入力情報が入力確定し、周辺潜在配置から候補潜在キーを選択すると、入力表示していた入力情報を無効にし、該無効にした入力情報の替りに選択された候補潜在キーの入力情報をカーソルに再度表示する過程を「選択再表示」とし、接続解放すれば選択再表示により表示された１個の入力情報が入力確定し、周辺潜在配置から文字潜在キーを選択表示すると、入力表示された入力情報の次に表示され、接続解放すれば入力表示と選択表示による２個の入力情報が入力確定し、待機状態になることを特徴とする潜在的キーによる接続移動後の解放で２工程の情報を入力する方法。
【発明の詳細な説明】
【技術分野】
【０００１】
本発明は、キーボード入力に関するものである。
【背景技術】
【０００２】
文字等を入力するハードの釦とソフトのキーがあり、釦を押下げて解放、キーに接して解放やマウス等によるクリック（押下げ）操作対象の小さな矢印等を「ポインタ」とし、該ポインタをキー上に接続しながらクリックして解放する等の各操作を「タップ」とし、釦、キー等は文字と操作や機能等を実施する入力情報が設定されていて、タップにより設定された入力情報を実施し、釦は形による一定の領域を占有していて、該占有している領域の表面には入力情報が表示されていて、キーは接続を認識する一定の領域を占有していて、該占有している領域の表面の欄には入力情報が表示されていて、釦への押下げによる入力信号が継続して認識できる状態やキーへの接触が維持されていることが認識できる状態を「接続維持」（押下げ続ける）とし、該接続維持の接続を解消することを「接続解放」としてきた。
【０００３】
釦とキーを「既存キー」とし、該既存キーに設定されている情報が文字の場合は「文字キー」とし、既存キーの集合体を「キーボード」としてきた。
【０００４】
接続による既存キーからの入力信号を待つ状態を「待機状態」とし、入力信号により文字が表示される位置を知らせる縦長四角又は下線を「カーソル」とし、該カーソルの通常は変換処理以外では文章末尾で入力情報を待つ状態で、液晶及びタッチパネルの画面上やパソコン等の出力装置等によりキーボード及び文字の表示空間とカーソル等を表示する画面を「入力画面」としてきた。
【０００５】
キーボード及びキーボード周辺に、文字キーとは別に文字キーと同様な文字情報が潜在的に設定された領域を構築し、該構築された領域を「潜在キー」とし、該潜在キーが文字キーを基準に接続した周辺に選択可能な状態で設定された集合体の配置を「潜在配置」とし、該潜在配置は接続維持により接続した文字キーに設定された。
【０００６】
文字キーに潜在配置が設定され、該設定された潜在配置から選択しようとする潜在キーの方向に、文字キーの領域内で接続しながらの移動が認識され、該移動が認識された時点で接続解放する。該接続解放されることで選択された潜在キーの文字情報が入力される「フリック入力」と、文字キーに潜在配置が設定され、該設定された潜在配置から選択しようとする潜在キーの領域まで、文字キーから接続しながらの移動が認識され、該移動が認識された時点で接続解放する。該接続解放されることで選択された潜在キーの文字情報が入力される「スライド入力」があり、フリック入力とスライド入力を「移動入力」とし、該移動入力の操作の過程で接続維持された文字キーから潜在配置内で選択しようとする潜在キーへの移動が認識された時点までを「接続移動」とし、該接続移動により認識された潜在キーの文字情報がカーソルに表示する過程を「選択表示」とし、該選択表示された状態からの接続解放でカーソルに表示された文字情報の入力が確定することを「入力確定」としてきた。
【０００７】
仮名文字による日本語の入力方法で、文字キー全てが「あ」段の仮名で、該「あ」段の仮名の各行の「い」、「う」、「え」、「お」の段の各仮名の文字情報を潜在キーとして設定し、該設定された潜在キーを「同行潜在キー」とし、該同行潜在キーが接続した文字キーを基点に隣接した上下左右の四方向に設定された潜在配置を「同行潜在配置」とし、該同行潜在配置から希望する同行潜在キーを選択表示し、接続解放により入力確定し、待機状態になる入力方法があり、該入力方法を「仮名フリック」としてきた。
【０００８】
クウォーティー（ＱＷＥＲＴＹ）配列によるキーボードでの日本語によるローマ字入力では、必ず最後に母音を入力して仮名に変換するための各母音英字の文字情報を潜在キーとして設定し、該設定した潜在キーを「母音潜在キー」とし、該母音潜在キーが子音表示の文字キーを基準に隣接した多方向に設定された潜在配置を「母音潜在配置」とし、文字キーの文字情報と同じ情報を共有し同期するよう同じ位置で接続維持された状態で設定された潜在キーを「入力潜在キー」とし、該入力潜在キーは接続移動の基点となり、接することで文字キーが入力潜在キーに変化し、該変化した入力潜在キーの文字情報をカーソルに表示する過程を「入力表示」とし、子音表示の文字キーの接続により入力表示され、接続解放すればタップと同じように入力表示された入力情報が入力確定し、母音潜在配置から希望する母音潜在キーを選択表示し、接続解放すると、入力表示された子音と、選択表示された母音がカーソル手前で仮名変換機能により一つの仮名に変換処理された後に入力確定し、待機状態になる入力方法があり、該入力方法を「ローマ字フリック」としてきた（特許文献１参照）。
【０００９】
潜在配置の方向や位置と文字情報を表示して接続移動の目安となるフリックガイド、フラワーガイド、ジェスチャーガイド等を「目安表」とし、該目安表は潜在配置と同調又は方向と位置関係が同様で、文字キーや潜在キーの文字情報が示された各領域を「欄」とし、該欄として目安表の中央又は文字キーや入力潜在キーと同様な位置関係で同じ文字情報を共有した欄を「入力欄」とし、該入力欄の周辺には、潜在配置と同調又は方向と位置関係が同様な文字情報が表示された欄が配置され、該配置された欄の集合体を「選択欄」とし、目安表は潜在配置と同時に設定され、スライド入力、仮名フリック、ローマ字フリックに具備され併用してきた。
【００１０】
アルファベットの英字使用頻度で１位が「ｅ」が１１．４１％、２位が「ａ」が８．４５％、３位が「ｔ」が８．１８％、４位が「ｉ」が７．１３％、５位が「ｏ」が７．０５％、６位が「ｓ」が６．９７％、７位が「ｎ」が６．７７％、８位が「ｒ」が６．２２％、９位が「ｈ」が４．２６％、１０位が「ｌ」が３．８７％である。
【先行技術文献】
【特許文献】
【００１１】
【特許文献１】特許５６５０３４５号公報
【発明の概要】
【発明が解決しようとする課題】
【００１２】
文字キー周辺の潜在キーを利用した接続移動により入力できる文字は最終的に一つの文字だけで複数の文字を一回の移動操作で入力できない。
【課題を解決するための手段】
【００１３】
接続維持して入力しようとする既存キーと関連している潜在配置の同行潜在キー、母音潜在キー、関連潜在キーの入力情報以外に使用頻度を考慮した文字の文字情報を潜在キーとして設定し、該設定された潜在キーを「文字潜在キー」とし、該文字潜在キーによる潜在配置を「文字潜在配置」とし、文字潜在キーによる文字情報を選択欄の欄として設定し、該設定された欄を「文字欄」とし、接続した文字キーを入力表示し、接続解放で入力表示された入力情報が入力確定し、文字潜在配置から文字潜在キーを選択表示し、接続解放後に入力表示と選択表示によりカーソルに表示された２個の入力情報が入力確定し、待機状態になる入力方法である。
【００１４】
キーボード以外で最初から又は入力により表示される予測変換、つながり予測、ワイルドカード予測、学習機能等の入力情報が表示された各領域を既存キーとして設定し、該設定された既存キーを「候補キー」とし、該候補キーの入力情報を潜在キーとして設定し、該設定された潜在キーを「候補潜在キー」とし、該候補潜在キーの入力情報を選択欄の欄として設定し、該設定された欄を「候補欄」とし、接続した既存キーが入力潜在キーに変化し、該変化した入力潜在キーの入力情報を基準に候補潜在キーが発生又は更新され、該発生又は更新された候補潜在キーが入力潜在キー周辺に設定された潜在配置を「候補潜在配置」とし、該候補潜在配置から候補潜在キーを選択表示し、接続解放により選択表示された入力情報が入力確定し、待機状態になる入力方法である。
【００１５】
入力潜在キー周辺に候補潜在キーや文字潜在キーによる潜在配置を設定し、該設定された潜在配置を「周辺潜在配置」とし、待機状態から文字キーに接続し、該接続した文字キーが入力潜在キーに変化し、該変化した入力潜在キーの入力情報を入力表示し、該入力表示された入力情報を基準に発生又は更新された候補潜在キーや文字潜在キーからなる周辺潜在配置が設定され、接続解放すれば入力表示された入力情報が入力確定し、周辺潜在配置から候補潜在キーを選択すると、入力表示していた入力情報を無効にし、該無効にした入力情報の替りに選択された候補潜在キーの入力情報をカーソルに再度表示する過程を「選択再表示」とし、接続解放すれば選択再表示により表示された１個の入力情報が入力確定し、周辺潜在配置から文字潜在キーを選択表示すると、入力表示された入力情報の次に表示され、接続解放すれば入力表示と選択表示による２個の入力情報が入力確定し、待機状態になる入力方法である。
【発明の効果】
【００１６】
一回のフリック、スライド操作で、複数の文字及び情報が入力できるので入力時間が大幅に短縮できる。
【図面の簡単な説明】
【００１７】
【図１】本発明において、十字方向に使用頻度ベスト４の英字が表示された目安表図
【図２】本発明において、左がＳキーで「Ｓ」、右がＯキーで「Ｓｏ」が入力され、各目安表の表示と入力過程の進行図
【図３】本発明において、左がＦキーで「Ｓｏｆ」、右がＴの文字欄へ接続選択により「Ｓｏｆｔ」が入力され、各目安表の表示と入力過程の進行図
【図４】本発明において、左がＷキーで「Ｓｏｆｔｗ」、右がＡの文字欄へ接続選択により「Ｓｏｆｔｗａ」が入力され、各目安表の表示と入力過程の進行図
【図５】本発明において、左がＲキーで「Ｓｏｆｔｗａｒ」、右がＥの文字欄へ接続選択により「Ｓｏｆｔｗａｒｅ」が入力され、各目安表の表示と入力過程の進行図
【図６】本発明において、Ｓキーで「Ｓ」が入力され、８個の文字欄からなる選択欄が表示された入力過程の進行図
【図７】本発明において、図６で表示された目安表の続きの展開図で、上段左側で「Ｓｏ」、上段中央で「Ｓｏｆ」、上段右側で「Ｓｏｆｔ」、中段左側で「Ｓｏｆｔｗ」、中段中央で「Ｓｏｆｔｗａ」、中段右側で「Ｓｏｆｔｗａｒ」、下段左側で「Ｓｏｆｔｗａｒｅ」が入力された展開図
【図８】本発明において、日本語文字入力５０音配列のキーボードで「そ」の文字キーにポインタの接続維持により表示された目安表の展開図
【図９】本発明において、図８の目安表の続きで、上段左側で「ふ」、上段右側で「と」のキーをタップして、下段左側で「う」のキーから接続選択により下段右側の「ソフトウェア」に接続選択して入力された展開図
【図１０】本発明において、Ｓキーで「Ｓ」が入力され、「Ｅ、Ａ、Ｔ、Ｉ」の文字欄と「Ｓ」で更新された３個の候補欄からなる選択欄が表示された入力過程の進行図
【図１１】本発明において、カーソルに「Ｓｏ」が入力され、「Ｅ、Ａ、Ｔ、Ｉ」の文字欄と「Ｓｏ」で更新された３個の候補欄からなる選択欄が表示された入力過程の進行図
【図１２】本発明において、カーソルに「Ｓｏｆ」が入力され、「Ｅ、Ａ、Ｔ、Ｉ」の文字欄と「Ｓｏｆ」で更新された３個の候補欄からなる選択欄が表示された入力過程の進行図
【図１３】本発明において、図１２で更新された候補欄から「Ｓｏｆｔｗａｒｅ」を接続選択して、カーソルに「Ｓｏｆｔｗａｒｅ  」が表示された入力過程の進行図
【図１４】本発明において、左側は５個の文字欄と３個の候補欄による選択欄の構成で、右側は８個の候補欄による選択欄で構成された目安表図
【図１５】本発明において、左側は、英字のアルファベットの使用頻度の順に２６個の小文字により構成された目安表と右側は英字のアルファベットが「ＡＢＣ」順に２６個の大文字により構成された目安表図
【図１６】本発明において、左側は、ギリシャ語の大文字２４個による目安表と右側はギリシャ語の小文字２５個による目安表図
【図１７】本発明において、アラビヤ語の２８個で構成された目安表図
【図１８】本発明において、韓国語の文字構成を種分し、左側は初声８個の目安表で、中央は中声８個の目安表で、右側は終声８個の目安表図
【符号の説明】
【００１８】
Ａ  目安表      
Ｂ  入力欄
Ｃ  文字欄
Ｄ  候補欄
Ｆ  潜在配置
Ｇ  入力潜在キー
Ｈ  文字潜在キー
Ｊ  候補潜在キー
Ｍ  キーボード
Ｎ  文字キー
Ｑ  候補キー
Ｒ  入力画面
Ｓ  カーソル
Ｔ  ポインタ
【発明を実施するための形態】
【実施例１】
【００１９】
図１は入力欄（Ｂａｓ）に「Ｓ」が表示され、該入力欄（Ｂａｓ）左側の文字欄（Ｃａｅ）に英字の使用頻度１番の「Ｅ」が表示され、入力欄（Ｂａｓ）上側の文字欄（Ｃａａ）に英字の使用頻度２番の「Ａ」が表示され、入力欄（Ｂａｓ）右側の文字欄（Ｃａｔ）に英字の使用頻度３番の「Ｔ」が表示され、入力欄（Ｂａｓ）下側の文字欄（Ｃａｉ）に英字の使用頻度４番の「Ｉ」が表示され、選択欄の表示が変化しない目安表の図である。
【００２０】
縦方向の入力画面で、クウォーティー配列によるキーボードの入力で「Ｓｏｆｔｗａｒｅ」と入力しようとする過程で、図２の左側の入力画面（Ｒａ１）において、「Ｓ」の文字キー（Ｎａｓ）に接することで図１の目安表が「Ｓ」の文字キー（Ｎａｓ）に重なるように表示された図で、入力欄（Ｂａｓ）に「Ｓ」が確認でき、カーソル（Ｓａ１）には「Ｓ」が表示されていて接続解放後に、図右側の入力画面（Ｒａ２）にて、「Ｏ」の文字キー（Ｎａｏ）に接することで図１の目安表が「Ｏ」の文字キー（Ｎａｏ）に重なるように表示された図で入力欄（Ｂａｏ）に「Ｏ」が確認でき、カーソル（Ｓａ２）には「Ｓｏ」が表示された図で、その後接続解放される。
【００２１】
図３の左側の入力画面（Ｒａ３）にて、「Ｆ」の文字キー（Ｎａｆ）に接することで図１の目安表が「Ｆ」の文字キー（Ｎａｆ）に重なるように表示された図で入力欄（Ｂａｆ）に「Ｆ」が確認でき、カーソル（Ｓａ３）には「Ｓｏｆ」が表示されていて、図右側の入力画面（Ｒａ４）では、「Ｆ」の文字キーに接しながら右側の文字欄（Ｃａｔ）「Ｔ」方向に接続選択することでカーソル（Ｓａ４）に「Ｓｏｆｔ」が表示された図で、その後接続解放される。
【００２２】
図４の左側の入力画面（Ｒａ５）にて、「Ｗ」の文字キー（Ｎａｗ）に接することで図１の目安表が「Ｗ」の文字キー（Ｎａｗ）に重なるように表示された図で、入力欄（Ｂａｗ）に「Ｗ」が確認でき、カーソル（Ｓａ５）には「Ｓｏｆｔｗ」が表示されていて、図右側の入力画面（Ｒａ６）では、「Ｗ」の文字キーに接しながら上側の文字欄（Ｃａａ）「Ａ」方向に接続選択することでカーソル（Ｓａ６）に「Ｓｏｆｔｗａ」が表示された図で、その後接続解放される。
【００２３】
図５の左側の入力画面（Ｒａ７）にて、「Ｒ」の文字キー（Ｎａｒ）に接することで図１の目安表が「Ｒ」の文字キー（Ｎａｒ）に重なるように表示された図で入力欄（Ｂａｒ）に「Ｒ」が確認でき、カーソル（Ｓａ７）には「Ｓｏｆｔｗａｒ」が表示されていて、図右側の入力画面（Ｒａ８）では、「Ｒ」の文字キーに接しながら左側の文字欄（Ｃａｅ）「Ｅ」方向に接続選択することでカーソル（Ｓａ８）に「Ｓｏｆｔｗａｒｅ」が表示された図である。
【実施例２】
【００２４】
縦方向の入力画面で、クウォーティー配列によるキーボードの入力で「Ｓｏｆｔｗａｒｅ」と入力しようとする過程で、図６は入力画面（Ｒｂ）において、「Ｓ」の文字キー（Ｎｂｓ）に接することで上方向に一定の間隔で入力欄（Ｂｂｓ）の「Ｓ」の周辺に使用頻度ベスト８の文字が図で示す配列の目安表が表示され、カーソル（Ｓａ１）には「Ｓ」が表示された図である。
【００２５】
図７は図６で表示されていた入力画面での目安表の続きで、図上段左側の目安表が「Ｓ」の文字キーから左端の文字欄（Ｃｂｏ）の「Ｏ」を接続選択して接続解放後、図上段中央の目安表が「Ｆ」の文字キーに接することで入力欄（Ｂｂｆ）に「Ｆ」が表示されて引き続き、図上段右側の目安表が、「Ｆ」の文字キーから左側の文字欄（Ｃｂｔ）の「Ｔ」を接続選択して接続解放後、図中段左側の目安表が「Ｗ」の文字キーに接することで入力欄（Ｂｂｗ）に「Ｗ」が表示されて引き続き、図中段中央の目安表が、「Ｗ」の文字キーから上側の文字欄（Ｃｂａ）の「Ａ」を接続選択して接続解放後、図中段右側の目安表が、「Ｒ」の文字キーに接することで入力欄（Ｂｂｒ）に「Ｒ」が表示され引き続き、下段左側の目安表が、「Ｒ」の文字キーから左側の文字欄（Ｃｂｅ）の「Ｅ」を接続選択して接続解放後にカーソルに「Ｓｏｆｔｗａｒｅ」が表示される入力方法の図である。  
【実施例３】
【００２６】
図８は横方向の日本語文字入力５０音配列のキーボードＭｃで「ソフトウェア」と入力しようとする過程で、「そ」の文字キーにポインタＴｃを接続維持した状態の図で、入力欄（Ｂｃ１）に「そ」が表示され、明記してないが接触によりカーソルに「そ」が表示され、目安表（Ａｃ１）の選択欄に４個の候補欄が表示された図である。
【００２７】
図９は図８で表示されていたキーボードでの目安表の続きで、図上段左側が「ふ」の文字キーに接することで表示された入力欄（Ｂｃ２）が「ふ」の目安表（Ａｃ２）で、接続解放し、図上段右側が「と」の文字キーに接することで表示された入力欄（Ｂｃ３）が「と」の目安表（Ａｃ３）で、接続解放し、図下段左側が「う」の文字キーに接することで表示された入力欄（Ｂｃ４）が「う」の目安表（Ａｃ４）で、入力しようとする「ソフトウェア」が入力欄（Ｂｃ４）の左側にあったので引き続き、図下段右側の目安表（Ａｃ４）で入力欄左の候補欄（Ｄｃ）に接続選択した図で、明記していないカーソルに「ソフトウェア」が表示された入力方法の図である。
【実施例４】
【００２８】
横方向の入力画面で、クウォーティー配列によるキーボードの入力で「Ｓｏｆｔｗａｒｅ」と入力しようとする過程で、図１０の入力画面（Ｒｄ１）では、「Ｓ」の文字キー（Ｎｄｓ）に接することで上方向に一定の間隔で入力欄（Ｂｄｓ）の「Ｓ」の周辺に、図１の文字欄に３個の候補欄が追加された目安表が表示され、カーソル（Ｓａ１）には「Ｓ」が表示された図で、候補欄には、カーソル（Ｓａ１）に表示された文字情報により判断された予測文字が上部左、上部右、下部右の優先順位に表示された目安表の図で、候補欄に希望する単語が無いので接続解放する図である。
【００２９】
図１１の入力画面（Ｒｄ２）では「Ｏ」の文字キー（Ｎｄｏ）に接することで、入力欄（Ｂｄｏ）が確認できる図１０と同じ機能の目安表が表示され、カーソル（Ｓａ２）には「Ｓｏ」が表示された図で、候補欄には、カーソル（Ｓａ２）に表示された文字情報により判断された予測文字が上部左側、上部右側、下部右側の優先順位に表示された目安表の図で、候補欄に希望する単語が無いので接続解放する図である。
【００３０】
図１２の入力画面（Ｒｄ３）では「Ｆ」の文字キー（Ｎｄｆ）に接することで、入力欄（Ｂｄｆ）が確認できる図１０と同じ機能の目安表が表示され、カーソル（Ｓａ３）には「Ｓｏｆ」が表示された図で、候補欄には、カーソル（Ｓａ３）に表示された文字情報により判断された予測文字が上部左側、上部右側、下部右側の優先順位に表示された目安表の図で、候補欄に希望する単語があるのを確認した図である。
【００３１】
図１３の入力画面（Ｒｄ４）では、図１２に引き続き、目安表の下部右にある候補欄（Ｄｄ３）を接続選択した図で、カーソルＳｂ１には希望する「Ｓｏｆｔｗａｒｅ」と「スペース」が入力されている図で、接続解放で入力確定する入力方法である。
【実施例５】
【００３２】
図１４の左側は、５個の文字欄と３個の候補欄により構成された選択欄による目安表Ａ８ａで、表示する優先順位が各欄に「Ｃ１、Ｃ２、Ｃ３、Ｃ４、Ｃ５」と「Ｄ１、Ｄ２、Ｄ３」で表示されていて、図右側は８個の候補欄により構成された選択欄による目安表（Ａ８ｆ）で、表示する優先順位が各欄に「Ｄ１、Ｄ２、Ｄ３、Ｄ４、Ｄ５、Ｄ６、Ｄ７、Ｄ８」で表示されている図である。
【００３３】
図１５の左側は、英字のアルファベットの使用頻度の順に２６個の小文字による文字欄により構成された目安表（Ａ２６ａ）で、図右側は英字のアルファベットが「ＡＢＣ」順に２６個の大文字による文字欄により構成された目安表（Ａ２６ｂ）の図である。
【００３４】
図１６の左側は、ギリシャ語の大文字２４個による文字欄により構成された目安表（Ａ２４）で、図右側はギリシャ語の小文字２５個による文字欄により構成された目安表（Ａ２５）の図である。
【００３５】
図１７は、アラビヤ語の２８個が文字欄により構成された目安表（Ａ２８）の図である。
【００３６】
図１８は韓国語の文字構成を種分けして表示した図で、左側は初声の使用頻度順に８個の文字欄で構成された目安表（Ａｈ１）で、図中央は中声の使用頻度順に８個の文字欄で構成された目安表（Ａｈ２）で、図右側は終声の使用頻度順に８個の文字欄で構成された目安表（Ａｈ３）の図である。
【００３７】
以上の目安表は各言語によるキーボードの文字キーに接することで表示される目安表だが、同時に接続した文字キーの入力情報がカーソルに入力表示され、接続選択された選択欄の文字情報がカーソルに入力表示された次に選択表示され、２組の入力情報が入力される方法である。
【図１】
2016066356.tif 000003
【図２】
2016066356.tif 000004
【図３】
2016066356.tif 000005
【図４】
2016066356.tif 000006
【図５】
2016066356.tif 000007
【図６】
2016066356.tif 000008
【図７】
2016066356.tif 000009
【図８】
2016066356.tif 000010
【図９】
2016066356.tif 000011
【図１０】
2016066356.tif 000012
【図１１】
2016066356.tif 000013
【図１２】
2016066356.tif 000014
【図１３】
2016066356.tif 000015
【図１４】
2016066356.tif 000016
【図１５】
2016066356.tif 000017
【図１６】
2016066356.tif 000018
【図１７】
2016066356.tif 000019
【図１８】
2016066356.tif 000020